(57)【特許請求の範囲】
【請求項１】
所定面に形成された物体像を正立像とする正立像形成部材と、該正立像形成部材を介して前記物体像を観察する接眼レンズを有するファインダー光学系において、
前記接眼レンズは、物体側から観察側へ順に配置された、負の屈折力の第１レンズ群、正の屈折力の第２レンズ群、負の屈折力の第３レンズ群から構成され、視度調節に際して隣り合うレンズ群の間隔が変化するように前記第２レンズ群が光軸方向に移動し、
ファインダー視度が−１ディオプターのときの全系の焦点距離をｆ、前記第１レンズ群の焦点距離をｆ１、前記第３レンズ群の焦点距離をｆ３とするとき、
−２．４０＜ｆ１／ｆ≦−１．５３
−１．６＜ｆ３／ｆ＜−０．８
なる条件式を満足することを特徴とするファインダー光学系。
【請求項２】
前記第１レンズ群は、観察側の面が凹形状の負レンズより構成され、前記第２レンズ群は、両凸形状の正レンズより構成され、前記第３レンズ群は、物体側から観察側へ順に配置された、両凸形状の正レンズと両凹形状の負レンズより構成されることを特徴とする請求項１に記載のファインダー光学系。
【請求項３】
前記第１レンズ群は、観察側の面が凹形状の負レンズより構成され、前記第２レンズ群は、両凸形状の正レンズより構成され、前記第３レンズ群は、観察側の面が凹形状の負レンズより構成されることを特徴とする請求項１に記載のファインダー光学系。
【請求項４】
所定面に形成された物体像を正立像とする正立像形成部材と、該正立像形成部材を介して前記物体像を観察する接眼レンズを有するファインダー光学系において、
前記接眼レンズは、物体側から観察側へ順に配置された、負の屈折力の第１レンズ群、正の屈折力の第２レンズ群、負の屈折力の第３レンズ群から構成され、視度調節に際して隣り合うレンズ群の間隔が変化するように前記第２レンズ群が光軸方向に移動し、
前記第１レンズ群は、観察側の面が凹形状の負レンズより構成され、前記第２レンズ群は、両凸形状の正レンズより構成され、前記第３レンズ群は、物体側から観察側へ順に配置された、両凸形状の正レンズと両凹形状の負レンズより構成され、
ファインダー視度が−１ディオプターのときの全系の焦点距離をｆ、前記第１レンズ群の焦点距離をｆ１、前記第３レンズ群の焦点距離をｆ３とするとき、
−２．４０＜ｆ１／ｆ＜−１．１５
−１．６＜ｆ３／ｆ＜−０．８
なる条件式を満足することを特徴とするファインダー光学系。
【請求項５】
前記第１レンズ群は１枚の負レンズよりなり、該負レンズの材料のアッベ数をνｄとするとき、
νｄ＜２５
なる条件式を満足することを特徴とする請求項１乃至４のいずれか１項に記載のファインダー光学系。
【請求項６】
請求項１乃至５のいずれか１項に記載のファインダー光学系と、該ファインダー光学系で表示される物体像に相当する像を受光する撮像手段とを有することを特徴とする撮像装置。
【発明の詳細な説明】
【技術分野】
【０００１】
本発明は、ファインダー光学系及びそれを用いた撮像装置に関し、特にファインダー光学系の観察倍率が大きくファインダー像を良好に観察することができる、例えば一眼レフカメラ等の撮像装置に好適なものである。
【背景技術】
【０００２】
従来、一眼レフカメラでは撮影レンズによって、焦点板上に形成した被写体像(ファインダー像)をファインダー光学系を介して観察している。このファインダー光学系は、焦点板上に形成された被写体像をペンタダハミラーやペンタダハプリズム等の正立像形成部材を介して正立像とした後、接眼レンズによって拡大して観察するように構成されている。この一眼レフカメラ用のファインダー光学系では主に正立像形成部材の大きさに依存する焦点板から接眼レンズまでの光路長によって、観察倍率やアイレリーフ等のファインダー光学系の仕様が決定されている。
【０００３】
尚、ここでアイレリーフとは接眼レンズの射出レンズ面から観察者の瞳孔(アイポイント)までの距離である。
【０００４】
一眼レフカメラ用のファインダー光学系に用いられる接眼レンズには、高い観察倍率を有すること、十分な長さのアイレリーフがあること、視度調節機能があること等が求められている。一眼レフカメラのファインダー光学系において、観察倍率が大きく、アイレリーフが十分に長い接眼レンズが従来より各種提案されている。（特許文献１、２）特許文献１の接眼レンズは、所定面（焦点板）側から観察側へ順に、所定面側に凸面を向けたメニスカス形状の負レンズ、正レンズ、所定面側に凸面を向けたメニスカス形状の負レンズより構成されている。
【０００５】
また、特許文献２の接眼レンズは所定面側から観察側へ順に所定面側に凹面を向けたメニスカス形状の負レンズ、正レンズ、正レンズ、観察側に凹面を向けた負レンズより構成されている。
【先行技術文献】
【特許文献】
【０００６】
【特許文献１】特開２００１−３１１８８１号公報
【特許文献２】特開２０００−１１１８１０号公報
【発明の概要】
【発明が解決しようとする課題】
【０００７】
一般にファインダー光学系の観察倍率を大きくするためには、接眼レンズの焦点距離を短くすることが必要となる。しかしながら一眼レフカメラのファインダー光学系においては、一般に接眼レンズの視度を−１ディオプトリー付近に設定している。このため、被写体像が形成される焦点板から接眼レンズまでの距離（接眼レンズの主点位置までの光路長）によって実質的な接眼レンズの焦点距離は決定される。
【０００８】
従ってファインダー光学系の観察倍率を大きくするには正立像形成部材の光路長を短くし、接眼レンズを正立像形成部材に近接させて配置する必要がある。しかしながら、このような構成にすると、ファインダー光学系の観察部（アイポイント）がカメラの後面（接眼レンズの射出レンズ面）より物体側へ移動してしまい、アイレリーフが短くなってくる。このように一眼レフカメラのファインダー光学系において、ファインダー光学系の観察倍率を大きくすることとアイレリーフを十分に長く設定することは相反し大変難しい。
【０００９】
一般に一眼レフカメラにおいてファインダー光学系の観察倍率を大きくしつつ、アイレリーフを長くするには、正立像形成部材の大きさ（光路長）をあまり小さくすることができないので接眼レンズのレンズ構成を適切に設定することが重要になってくる。接眼レンズのレンズ構成が不適切であると観察倍率を高くしつつアイレリーフを長くするのが難しい。また接眼レンズの構成が不適切であると倍率色収差などの諸収差が増大し、ファインダー像の良好なる観察が困難になってくる。
【００１０】
例えば特許文献１及び特許文献２の接眼レンズでは、所定面側の負レンズの屈折力が強く、高い観察倍率を得るのが難しい。また負レンズの屈折力が強いままで高い観察倍率を得ようとするとアイレリーフが短くなってくる。
【００１１】
本発明は、観察倍率が大きく、大きなファインダー像の観察ができ、しかもアイレリーフを十分に長く確保することのできるファインダー光学系及びそれを用いた撮像装置の提供を目的とする。
【課題を解決するための手段】
【００１２】
本発明のファインダー光学系は、所定面に形成された物体像を正立像とする正立像形成部材と、該正立像形成部材を介して前記物体像を観察する接眼レンズを有するファインダー光学系において、
前記接眼レンズは、物体側から観察側へ順に配置された、負の屈折力の第１レンズ群、正の屈折力の第２レンズ群、負の屈折力の第３レンズ群から構成され、視度調節に際して隣り合うレンズ群の間隔が変化するように前記第２レンズ群が光軸方向に移動し、
ファインダー視度が−１ディオプターのときの全系の焦点距離をｆ、前記第１レンズ群の焦点距離をｆ１、前記第３レンズ群の焦点距離をｆ３とするとき、
−２．４０＜ｆ１／ｆ≦−１．５３
−１．６＜ｆ３／ｆ＜−０．８
なる条件式を満足することを特徴としている。
この他、本発明のファインダー光学系は、所定面に形成された物体像を正立像とする正立像形成部材と、該正立像形成部材を介して前記物体像を観察する接眼レンズを有するファインダー光学系において、
前記接眼レンズは、物体側から観察側へ順に配置された、負の屈折力の第１レンズ群、正の屈折力の第２レンズ群、負の屈折力の第３レンズ群から構成され、視度調節に際して隣り合うレンズ群の間隔が変化するように前記第２レンズ群が光軸方向に移動し、
前記第１レンズ群は、観察側の面が凹形状の負レンズより構成され、前記第２レンズ群は、両凸形状の正レンズより構成され、前記第３レンズ群は、物体側から観察側へ順に配置された、両凸形状の正レンズと両凹形状の負レンズより構成され、
ファインダー視度が−１ディオプターのときの全系の焦点距離をｆ、前記第１レンズ群の焦点距離をｆ１、前記第３レンズ群の焦点距離をｆ３とするとき、
−２．４０＜ｆ１／ｆ＜−１．１５
−１．６＜ｆ３／ｆ＜−０．８
なる条件式を満足することを特徴としている。
【発明の効果】
【００１３】
本発明によれば、観察倍率が大きく、大きなファインダー像の観察ができ、しかもアイレリーフを十分に長く確保することのできるファインダー光学系が得られる。
【図面の簡単な説明】
【００１４】
【図１】本発明のファインダー光学系を用いた光学機器の要部断面図
【図２】（Ａ），（Ｂ）本発明の数値実施例１の光路を展開した時のレンズ断面図と収差図
【図３】（Ａ），（Ｂ）本発明の数値実施例２の光路を展開した時のレンズ断面図と収差図
【図４】（Ａ），（Ｂ）本発明の数値実施例３の光路を展開した時のレンズ断面図と収差図
【図５】（Ａ），（Ｂ）本発明の数値実施例４の光路を展開した時のレンズ断面図と収差図
【図６】（Ａ），（Ｂ）本発明の数値実施例５の光路を展開した時のレンズ断面図と収差図
【図７】（Ａ），（Ｂ）本発明の数値実施例６の光路を展開した時のレンズ断面図と収差図
【図８】（Ａ），（Ｂ）本発明の数値実施例７の光路を展開した時のレンズ断面図と収差図
【図９】（Ａ），（Ｂ）本発明の数値実施例８の光路を展開した時のレンズ断面図と収差図
【発明を実施するための形態】
【００１５】
以下、本発明のファインダー光学系及びそれを有する撮像装置の実施例を説明する。本発明のファインダー光学系は、撮影レンズにより所定面、例えば焦点板に形成された被写体像（物体像）を正立像とするペンタダハミラーやペンタダハプリズム等の正立像形成部材（像反転手段）と正立像形成部材を介した正立像を接眼レンズを有している。接眼レンズは正立像形成部材（物体側）から観察側へ順に、次のとおりである。負の屈折力の第１レンズ群、ファインダー光軸方向に移動させることで視度調節を行う正の屈折力の第２レンズ群、負の屈折力の第３レンズ群より構成されている。
【００１６】
図１は本発明のファインダー光学系を撮像装置としてデジタル一眼レフカメラに適用したときの要部断面図である。図２（Ａ），（Ｂ）は本発明のファインダー光学系の実施例１の光学要素の光路を展開した光路図と収差図である。図３（Ａ），（Ｂ）は本発明のファインダー光学系の実施例２の光学要素の光路を展開した光路図と収差図である。図４（Ａ），（Ｂ）は本発明のファインダー光学系の実施例３の光学要素の光路を展開した光路図と収差図である。図５（Ａ），（Ｂ）は本発明のファインダー光学系の実施例４の光学要素の光路を展開した光路図と収差図である。
【００１７】
図６（Ａ），（Ｂ）は本発明のファインダー光学系の実施例５の光学要素の光路を展開した光路図と収差図である。図７（Ａ），（Ｂ）は本発明のファインダー光学系の実施例６の光学要素の光路を展開した光路図と収差図である。図８（Ａ），（Ｂ）は本発明のファインダー光学系の実施例７の光学要素の光路を展開した光路図と収差図である。図９（Ａ），（Ｂ）は本発明のファインダー光学系の実施例８の光学要素の光路を展開した光路図と収差図である。光路図と収差図においてはファインダー視度が−１ディオプトリー（標準視度）のときを示している。
【００１８】
図１と光路を展開した各光路図において、１はカメラ本体（不図示）に固定または着脱可能な撮影レンズである。２はクイックリターンミラー（ＱＲミラー）であり、回転軸２ａを中心に矢印２ｂの如く回動可能となっており、撮影レンズ１からの光束を上方に反射させている。３はフレネルレンズである。４は焦点板（マット面）であり、その面上には撮影レンズ１によって被写体像（ファインダー像）が形成されている。
【００１９】
５は正立像形成部材としてのペンタダハミラーであり、焦点板４上の被写体像を正立正像としている。５ａはペンタダハミラー５の入射部であり、焦点板４からの被写体像に関する光束が入射する。５ｂはペンタダハミラー５を構成する屋根型形状の第１の反射鏡であり、焦点板４上に形成された被写体像で入射部５ａから入射した光束を被写体像側（物体側）へ反射させている。５ｃは第１の反射鏡５ｂで物体側に反射された光束を観察側方向（アイポイント側）に反射させる第２の反射鏡である。５ｄはペンタダハミラー５の出射部である。
【００２０】
尚、正立像形成部材としては、ペンタダハミラーの他にペンタダハプリズムや複数のプリズムより構成されたものでも良い。
【００２１】
６は接眼レンズであり、ファインダー光学系の一部を構成している。接眼レンズ６はペンタダハミラー５側から観察側へ負の屈折力の第１レンズ群Ｌ１、正の屈折力の第２レンズＬ２、負の屈折力の第３レンズ群Ｌ３からなっている。そして、第２レンズ群Ｌ２を接眼レンズ６（ファインダー光学系）の光軸Ｌａに沿って移動することで視度調節を行っている。即ち視度調節に際して隣り合うレンズ群の間隔が変化する。ここで各レンズ群は単一レンズ又は複数のレンズより成っている。７はアイポイントであり、観察者の眼が位置する。接眼レンズ６の最終レンズ面Ｒｂから観察側のアイポイント７までの距離がアイレリーフに相当している。
【００２２】
ＩＰは撮影レンズ１の像面であり、ＣＣＤセンサやＣＭＯＳセンサ等の固体撮像素子（撮像手段）の撮像面またはフィルム（撮像手段）等の感光面に相当する。
【００２３】
本実施形態におけるファインダー光学系は撮影レンズ１による被写体像をクイックリターンミラー２で反射させてフレネルレンズ３を介して焦点板４上に形成している。そして焦点板４に形成したファインダー像をペンタダハミラー５で正立像として接眼レンズ６を介してアイポイント７より観察している。また撮像手段に像を形成するときはクイックリターンミラー２は矢印２ｂの如く回動して撮影レンズ１からの光束が像面ＩＰに入射するようにしている。
【００２４】
そして像面ＩＰに配置された撮像手段によって焦点板４に形成された被写体像に相当する像（被写体像の一部または全部またはそれよりも大きな部分の像）を光電変換（受光）している。
【００２５】
球面収差図において、ｄはｄ線、ＦはＦ線である。非点収差図においてＭはメリディオナル像面、Ｓはサジタル像面である。歪曲収差はｄ線について示している。倍率色収差図においてＦはＦ線である。ωは半画角である。
【００２６】
各実施例のファインダー光学系では、負の屈折力の第１レンズ群Ｌ１の屈折力の絶対値を接眼レンズ６全系の屈折力の絶対値に比べて弱くし、ファインダー光学系全系の主点位置を焦点板４側に近づけやすくしている。また、負の屈折力の第１レンズ群Ｌ１の屈折力を弱くすることと合わせて負の屈折力の第３レンズ群Ｌ３の屈折力を適切に設定することで、十分な長さのアイレリーフを確保しつつ、諸収差を良好に補正している。また、負の屈折力の第１レンズ群Ｌ１の屈折力を弱くすることで生じる色収差を第１レンズ群Ｌ１を構成する負レンズの材料を適切に設定することで改善している。
【００２７】
各実施例ではファインダー視度が−１ディオプターのときの全系の焦点距離をｆ、第１レンズ群Ｌ１の焦点距離をｆ１、第３レンズ群Ｌ３の焦点距離をｆ３とする。また第１レンズ群Ｌ１は１つの負レンズよりなり、負レンズの材料のアッベ数をνｄとする。このとき、次の諸条件のうち１以上を満足している。
【００２８】
−２．４０＜ｆ１／ｆ＜−１．１５      ・・・（１）
−１．６＜ｆ３／ｆ＜−０．８          ・・・（２）
νｄ＜２５                            ・・・（３）
条件式（１）、（２）を満足することによって、高い観察倍率を実現し、ファインダー像を大きくしながらも十分な長さのアイレリーフを保つことを容易にしている。
【００２９】
また条件式（１）、（２）、（３）を満足することによって、高い観察倍率を実現し、ファインダー像を大きくしながらも十分な長さのアイレリーフを保ちつつ、かつ倍率色収差等の諸収差を良好に補正することを容易にしている。
【００３０】
次に前述の各条件式の技術的意味について説明する。条件式（１）は高い観察倍率を実現しながら、十分な長さのアイレリーフを確保しつつ倍率色収差を良好に補正する為の条件である。条件式（１）の下限を超えると、第１レンズ群Ｌ１の負レンズの屈折力が弱くなりすぎてしまい、十分な長さのアイレリーフを確保するのが困難となる。また、倍率色収差の補正が困難となる。一方、上限を超えて第１レンズ群Ｌ１中の負レンズの屈折力を強くしすぎると、焦点板４から接眼レンズ６までの距離（接眼レンズ６の主点位置までの光路長）が長くなってしまい高い観察倍率を実現することが困難になる。
【００３１】
条件式（２）は高い観察倍率を実現しながら、十分な長さのアイレリーフを確保する為の条件である。条件式（２）の上限を超えると、第３レンズ群Ｌ３の屈折力が強くなりすぎてしまい、十分な長さのアイレリーフを確保するのが困難になる。一方、下限を超えて第３レンズ群Ｌ３の屈折力を弱くしすぎると、接眼レンズ６の主点位置が焦点板４から遠ざかってしまい、高い観察倍率を実現することが困難になる。
【００３２】
条件式（３）は倍率色収差を補正する為の条件である。高い観察倍率に伴う倍率色収差の補正を行う為には、負の屈折力の第１レンズ群Ｌ１の負レンズの材料の分散を適切に設定することが必要である。条件式（３）の上限を超えると倍率色収差の補正が不十分となる。
【００３３】
以上のように、ファインダー光学系を構成する接眼レンズの各要素を適切に設定することにより、高い光学性能を有し、高い観察倍率で且つ十分に長いアイレリーフを確保することができる。
【００３４】
尚、条件式（１）の数値範囲は後述する数値実施例３の値を用いて
−２．４０＜ｆ１／ｆ≦−１．５３    ・・・（１Ｘ）
としても良い。
各実施例において更に好ましくは条件式（１）乃至（３）の数値範囲を次の如く設定するのが良い。
【００３５】
−２．３０＜ｆ１／ｆ＜−１．１６      ・・・（１ａ）
−１．５＜ｆ３／ｆ＜−０．９          ・・・（２ａ）
νｄ＜２４                            ・・・（３ａ）
次に各実施例の接眼レンズの構成について説明する。
【００３６】
各実施例において第１レンズ群Ｌ１は観察側の面が凹形状の負レンズより構成している。又、第２レンズ群Ｌ２は両凸形状の正レンズより構成している。第３レンズ群Ｌ３は物体側から観察側へ順に実施例１乃至７では正凸形状の正レンズと両凹形状の負レンズから構成している。また第３レンズ群Ｌ３は実施例８では観察側の面が凹形状の負レンズより構成している。尚、第１レンズ群Ｌ１と第２レンズ群Ｌ２を２つ以上のレンズより、また第３レンズ群Ｌ３を３つ以上のレンズより構成しても良い。
【００３７】
以上、本発明の好ましい実施例について説明したが、本発明はこれらの実施例に限定されないことはいうまでもなく、その要旨の範囲内で種々の変形及び変更が可能である。
【００３８】
次に各実施例に対応する数値実施例を示す。各数値実施例において、面番号は焦点板４からの順番を示す。ｒｉは焦点板４側より順に第ｉ番目の光学素子面の曲率半径、ｄｉは焦点板４側より順に第ｉ番目の光学素子厚及び空気間隔である。ｎｄｉとνｄｉは各々焦点板４側より順に第ｉ番目の光学素子の材料の屈折率とアッベ数である。
【００３９】
ｒ１は焦点板４のマット面（物体像が形成される面）に相当する。ｒ２は接眼レンズ６の物体側に設けた設計上のダミー面である。数値実施例１乃至７においてｒ３〜ｒ１０と数値実施例８においてｒ３〜ｒ８は接眼レンズ６を構成する各レンズ面の曲率半径である。最終の面はアイポン糸を示している。なお、各数値実施例において＊印は非球面を表しており、非球面形状は光軸方向にＸ軸、光軸と垂直方向にＹ軸、光の進行方向を正としＲを近軸曲率半径、Ｋを円錐係数、Ａ４、Ａ６、Ａ８、Ａ１０を非球面係数としたとき、
【００４０】
【数１】
0005925019.tif 000002
【００４１】
によって定義されるものである。また、「ｅ−０Ｘ」の表示は「１０−Ｘ」を意味している。また、各数値実施例のファインダー光学系を実現した際のファインダー倍率（観察倍率）とアイレリーフの概略の計算結果を示す。ファインダー倍率は焦点距離が５０ｍｍの標準レンズを撮影レンズとして装着したときのアフォーカル系の角倍率で表している。ここでは近似的に撮影レンズの焦点距離とファインダー光学系の焦点距離の比で表している。また、前述の条件式と数値実施例における諸数値との関係を表１に示す。
【００４２】
数値実施例１
単位 mm
面データ
面番号       r        d      nd         νd       有効径
1          ∞      73.83                         50.00
2          ∞       0.32                         22.00
3      -1000.000    1.72   1.64900    21.0       22.00
4*        46.420  (可変)                         22.00
5*        23.701    4.44   1.52470    56.2       22.00
6        -42.572  (可変)                         22.00
7*        20.676    4.02   1.52470    56.2       20.00
8       -189.524    4.92                         20.00
9*       -39.067    1.69   1.49171    57.4       17.00
10         12.500   19.70                         13.00
11(アイポイント)∞                                10.00
非球面データ
第4面
K =-1.33655e+001  A 4=-7.93221e-007  A 6= 9.47525e-008  A 8=-6.13197e-010  A10= 1.36396e-012  
第5面
K =-8.98825e-001  A 4=-3.84064e-005  A 6= 1.87591e-007  A 8=-6.82731e-010  A10= 8.93914e-013  
第7面
K =-2.58308e-001  A 4= 2.13827e-005  A 6=-4.25111e-008  A 8=-1.89722e-010  A10= 8.80962e-013  
第9面
K = 1.37307e+001  A 4= 3.57541e-005  A 6= 6.05119e-007  A 8=-5.72970e-009  A10= 6.21024e-011  
可変間隔
視度           -1       -3        +1      
d 4            2.87     0.46     3.78     
d 6            1.40     3.81     0.50     
焦点距離（−１ディオプトリー時）  57.4ｍｍ
アイレリーフ  19.7ｍｍ
最大像高  12.4ｍｍ
瞳径  φ10
観察倍率（−１ディオプトリー時）  0.87
【００４３】
数値実施例2
単位 mm
面データ
面番号       r        d      nd         νd       有効径
1          ∞      74.91                         50.00
2          ∞       0.30                         22.00
3      -1000.000    1.67   1.64900    21.0       22.00
4*        48.517  (可変)                         22.00
5*        22.772    3.97   1.52470    56.2       22.00
6        -49.147  (可変)                         22.00
7*        19.158    4.61   1.52470    56.2       20.00
8       -444.219    4.63                         20.00
9*       -34.743    2.02   1.49171    57.4       17.00
10         12.500   19.70                         13.00
11(アイポイント)∞  (可変)                        10.00
非球面データ
第4面
K =-1.66924e+001  A 4=-2.68155e-006  A 6= 8.96577e-008  A 8=-5.32154e-010  A10= 1.30463e-012  
第5面
K =-2.66094e+000  A 4=-3.41070e-005  A 6= 2.22876e-007  A 8=-7.85659e-010  A10= 1.22284e-012  
第7面
K = 9.49861e-001  A 4= 2.59874e-005  A 6=-1.01072e-007  A 8= 7.52409e-011  A10= 3.15563e-013  
第9面
K = 1.10694e+001  A 4=-9.29960e-006  A 6= 6.63027e-007  A 8=-5.84287e-009  A10= 6.45365e-011  
可変間隔
視度           -1       -3        +1  
d 4            2.83     0.43     3.73       
d 6            1.37     3.77     0.47       
焦点距離（−１ディオプトリー時）  56.4ｍｍ
アイレリーフ  19.7ｍｍ
最大像高  12.4ｍｍ
瞳径  φ10
観察倍率（−１ディオプトリー時）  0.89
【００４４】
数値実施例3
単位 mm
面データ
面番号       r        d      nd         νd       有効径
1          ∞      75.27                         50.00
2          ∞       0.23                         22.00
3      -1990.830    1.60   1.92286    18.9       22.00
4         83.845  (可変)                         22.00
5*        26.674    4.22   1.52470    56.2       22.00
6        -45.755  (可変)                         22.00
7*        20.451    2.97   1.52470    56.2       20.00
8       -243.761    5.94                         20.00
9*       -38.469    1.66   1.49171    57.4       17.00
10         12.500   19.70                         13.00
11(アイポイント)∞                                10.00
非球面データ
第5面
K = 6.79495e-001  A 4=-1.88374e-005  A 6= 1.08720e-008  A 8=-1.93754e-010  A10= 4.67316e-013  
第7面
K = 1.23006e-001  A 4=-2.23765e-006  A 6=-3.62834e-008  A 8= 8.16422e-011  A10=-1.38792e-012  
第9面
K = 9.32791e+000  A 4= 5.37561e-005  A 6=-2.39988e-007  A 8= 9.32060e-009  A10=-7.00702e-011  
可変間隔
視度           -1       -3        +1  
d 4            3.40     0.40     4.34       
d 6            1.38     4.38     0.43       
焦点距離（−１ディオプトリー時）  57.0ｍｍ
アイレリーフ  19.7ｍｍ
最大像高  12.4ｍｍ
瞳径  φ10
観察倍率（−１ディオプトリー時）  0.88
【００４５】
数値実施例4
単位 mm
面データ
面番号       r        d      nd         νd       有効径
1          ∞      75.27                         50.00
2          ∞       0.17                         22.00
3      -6685.026    0.97   1.92286    18.9       22.00
4        102.689  (可変)                         22.00
5*        26.974    3.96   1.52470    56.2       22.00
6        -58.273  (可変)                         22.00
7*        20.275    2.97   1.52470    56.2       20.00
8       -251.462    5.74                         20.00
9*       -41.671    1.66   1.49171    57.4       17.00
10         12.500   19.70                         13.00
11(アイポイント)∞                                10.00
非球面データ
第5面
K = 1.95341e+000  A 4=-2.45167e-005  A 6=-2.24572e-008  A 8=-1.19615e-010  A10=-6.91226e-013  
第7面
K =-1.57554e+000  A 4= 2.65748e-005  A 6=-2.33758e-008  A 8=-1.62234e-011  A10= 3.33033e-013  
第9面
K = 3.28218e+000  A 4= 1.82354e-005  A 6= 8.97162e-008  A 8= 2.79555e-009  A10=-3.87894e-011  
可変間隔
視度           -1       -3        +1  
d 4            4.20     0.35     5.52       
d 6            1.74     5.59     0.42       
焦点距離（−１ディオプトリー時）  57.3ｍｍ
アイレリーフ  19.7ｍｍ
最大像高  12.4ｍｍ
瞳径  φ10
観察倍率（−１ディオプトリー時）  0.87
【００４６】
数値実施例5
単位 mm
面データ
面番号       r        d      nd         νd       有効径
1          ∞      75.27                         50.00
2          ∞       0.11                         22.00
3       5123.741    0.94   1.92286    18.9       22.00
4         98.842  (可変)                         22.00
5*        25.676    4.20   1.52470    56.2       22.00
6        -46.972  (可変)                         22.00
7*        19.423    2.94   1.52470    56.2       20.00
8      -1734.764    4.43                         20.00
9*       -34.665    1.60   1.49171    57.4       17.00
10         12.500   19.70                         13.00
11(アイポイント)∞                                10.00
非球面データ
第5面
K = 1.06999e+000  A 4=-2.17146e-005  A 6=-2.62579e-008  A 8=-3.91742e-011  A10=-1.76555e-013  
第7面
K =-1.00306e+000  A 4= 2.34834e-005  A 6= 3.05380e-008  A 8= 1.95577e-010  A10=-5.26515e-013  
第9面
K =-9.75662e-001  A 4= 1.61762e-005  A 6= 7.68742e-008  A 8=-2.10811e-009  A10= 2.07354e-011  
可変間隔
視度           -1       -3        +1  
d 4            4.91     0.30     6.80     
d 6            2.26     6.87     0.37     
焦点距離（−１ディオプトリー時）  58.4ｍｍ
アイレリーフ  19.7ｍｍ
最大像高  12.4ｍｍ
瞳径  φ10
観察倍率（−１ディオプトリー時）  0.86
【００４７】
数値実施例６
単位 mm
面データ
面番号       r        d      nd         νd
1          ∞      78.52                             
2          ∞       0.00                             
3      -1000.000    1.00   1.92286    18.9           
4        131.945  (可変)                             
5*        27.093    3.70   1.52470    56.2           
6        -53.974  (可変)                             
7*        19.886    2.76   1.52470    56.2           
8        -93.358    4.80                             
9*       -42.994    1.34   1.58144    40.8           
10         12.500   19.70                             
11(アイポイント)∞     
非球面データ
第5面
K = 1.04744e+000  A 4=-2.01331e-005  A 6= 2.75685e-008  A 8=-3.78940e-010  A10= 8.41320e-013  
第7面
K =-1.36529e-001  A 4=-5.96989e-006  A 6=-1.64908e-007  A 8= 4.62218e-010  A10=-2.82328e-012  
第9面
K =-4.29490e+001  A 4=-1.74302e-005  A 6= 8.63914e-007  A 8=-7.22517e-009  A10= 3.42452e-011  
可変間隔
視度           -1       -3        +1  
d 4            3.43     0.28     7.46     
d 6            4.37     7.52     0.35     
焦点距離（−１ディオプトリー時）  58.96ｍｍ
アイレリーフ  19.7ｍｍ
最大像高  12.4ｍｍ
瞳径  φ10
観察倍率（−１ディオプトリー時）  0.85
【００４８】
数値実施例７
単位 mm
面データ
面番号       r        d      nd         νd
1          ∞      78.35                             
2          ∞       0.00                             
3      -1000.000    1.00   1.92286    18.9           
4         99.672  (可変)                             
5*        25.443    4.56   1.52470    56.2           
6        -41.098  (可変)                             
7*        20.017    2.87   1.52470    56.2           
8       -139.291    4.58                             
9*       -41.210    1.54   1.58144    40.8           
10         12.500   
11(アイポイント)∞                               
非球面データ
第5面
K =-5.75732e-001  A 4=-1.33542e-005  A 6= 1.55101e-008  A 8=-1.36100e-010  A10= 4.26152e-013  
第7面
K =-8.56773e-001  A 4= 1.04425e-005  A 6=-1.14328e-007  A 8= 2.54013e-010  A10=-1.78859e-012  
第9面
K =-4.95667e+000  A 4= 3.06458e-005  A 6= 6.94769e-007  A 8=-1.45962e-008  A10= 1.14623e-010  
可変間隔
視度           -1       -3        +1  
d 4            2.98     0.28     6.50     
d 6            3.87     6.57     0.35     
焦点距離（−１ディオプトリー時）  58.4ｍｍ
アイレリーフ  19.7ｍｍ
最大像高  12.4ｍｍ
瞳径  φ10
観察倍率（−１ディオプトリー時）  0.86
【００４９】
数値実施例８
単位 mm
面データ
面番号       r        d      nd         νd
1          ∞      71.86                             
2          ∞       0.06                             
3      -1000.000    1.20   1.92286    18.9           
4         77.607  (可変)                             
5*        19.288    4.44   1.52470    56.2           
6        -63.505  (可変)                             
7*        23.751    9.53   1.49171    57.4           
8         12.000    19.7                           
11(アイポイント)∞                             
非球面データ
第5面
K = 5.61856e-001  A 4=-4.45738e-005  A 6= 5.47571e-008  A 8=-9.81128e-010  A10= 1.89101e-012  
第7面
K =-4.75475e+000  A 4= 6.32819e-005  A 6=-2.82169e-007  A 8= 2.26603e-009  A10=-8.90234e-012  
可変間隔
視度           -1       -3        +1  
d 4            2.76     0.50     5.44     
d 6            3.43     5.69     0.75     
焦点距離（−１ディオプトリー時）  61.78ｍｍ
アイレリーフ  19.7ｍｍ
最大像高  12.4ｍｍ
瞳径  φ10
観察倍率（−１ディオプトリー時）  0.81
【００５０】
【表１】
0005925019.tif 000003
【符号の説明】
【００５１】
６  接眼レンズ      Ｌ１  第１レンズ群      Ｌ２  第２レンズ群
Ｌ３  第３レンズ群
【図１】
0005925019.tif 000004
【図２】
0005925019.tif 000005
【図３】
0005925019.tif 000006
【図４】
0005925019.tif 000007
【図５】
0005925019.tif 000008
【図６】
0005925019.tif 000009
【図７】
0005925019.tif 000010
【図８】
0005925019.tif 000011
【図９】
0005925019.tif 000012